(57)【要約】【課題】ルームチェンジ作業の簡略化を図る。【解決手段】カードロックシステム１は、カード発行部４と、カード式電気錠６とを具備する。カード発行部４は、宿泊時又は宿泊前に予めルームチェンジの要望があると、メインルーム番号と、ルームチェンジの有無及び変更用ルーム番号の情報からなるルームチェンジ情報とを含む施解錠情報を書き込んだゲストカード２Ａを非接触カード２として発行する。カード式電気錠６は、予め宿泊予約情報を記憶しており、ゲストカード２Ａから施解錠情報を取得し、この施解錠情報に含まれるルームチェンジ情報及び宿泊予約情報に基づいて部屋を空室かつ利用可能と判別すると、施解錠情報に含まれるルームチェンジ情報の変更用ルーム番号をメインルーム番号に変更して錠前を解錠制御する。【選択図】図１
2010222945.tif 000002
【特許請求の範囲】
【請求項１】
錠前の施解錠に必要な情報が書き込まれた非接触カードを用い、建物の所定箇所に備えつけられたカード式電気錠が前記非接触カードの情報を非接触通信により読み取ってその正当性を判別し、読み取った情報を正常認証したときのみ前記錠前を施解錠するカードロックシステムにおいて、
利用時又は利用前に利用予定の部屋のルームチェンジの要望があるときに、利用予定の部屋のメインルーム番号と、ルームチェンジの有無及び変更用ルーム番号の情報からなるルームチェンジ情報とを含む施解錠情報を書き込んだゲストカードを前記非接触カードとして発行するカード発行部と、
予め建物の利用予約状況を示す予約情報を記憶しており、前記ゲストカードから施解錠情報を取得し、この施解錠情報に含まれるルームチェンジ情報及び前記予約情報に基づいて前記部屋を空室かつ利用可能と判別したときに、前記施解錠情報に含まれる前記ルームチェンジ情報の変更用ルーム番号をメインルーム番号に変更して前記錠前を解錠制御するカード式電気錠とを備えたことを特徴とするカードロックシステム。
【請求項２】
建物の利用予約状況を示す予約情報を確認用カードに書き込む予約情報リーダライタが建物内の所定箇所に配置されており、
前記カード式電気錠は、前記確認用カードに書き込まれた前記予約情報を取得して予約情報を更新記憶するとともに、前記確認用カードの使用により清掃が終了して錠前が施錠されたときにＯＮし、ルームチェンジにより変更用ルーム番号をメインルーム番号に変更して錠前が解錠されたときにＯＦＦする部屋利用フラグを記憶しており、前記ゲストカードからルームチェンジ情報を含む施解錠情報を取得したときに、前記更新記憶した予約情報及び前記部屋利用フラグに基づいて前記ルームチェンジ情報の変更用ルーム番号の部屋が利用可能か否かを判別することを特徴とする請求項１記載のカードロックシステム。
【発明の詳細な説明】
【技術分野】
【０００１】
本発明は、建物の所定箇所に配設された錠前の施解錠に必要な情報が書き込まれた例えばＩＣカードや非接触型ＩＣ搭載カードなどのカード状の非接触カードを用い、建物の扉や扉近傍の壁面等に一体に備えつけられたカード式電気錠（一体型カードロック）によって非接触カードの情報を読み取ってその正当性を判別し、読み取った情報を正常認証したときのみ錠前を施解錠するカードロックシステムに関するものである。
【背景技術】
【０００２】
近年、ホテルやオフィスビル等の商業施設や公共施設の入出口、集合住宅や一般住宅のエントランスや玄関等にはカードロックシステムが広く普及している。このカードロックシステムでは、例えばＩＣカードや非接触型ＩＣ搭載カードなどのカード状の非接触カードが用いられる。そして、建物の扉や扉近傍の壁面等に一体に備えつけられたカード式電気錠（一体型カードロック）が、非接触カードの各種データ（例えば特定の暗号による施解錠データや利用者に関する情報など）を読み取り、読み取った各種データを予め登録された情報と照合して正当性を判別し、正常に認証した場合のみ錠前を施解錠している。この種のカード式電気錠を用いたカードロックシステムとしては、例えば下記特許文献１に開示される出入管理システムが知られている。
【０００３】
ところで、この種のカードロックシステムをホテルに採用した場合、宿泊客に手渡される非接触カードは、ホテルフロントでホテル従業員によって発行されるが、ルームチェンジする際には、ホテル従業員が新しいカードを発行して宿泊客に手渡すか、専用端末を手動操作して該当する部屋番号を変更していた。
【先行技術文献】
【特許文献】
【０００４】
【特許文献１】特開２００１−２４１２２６号公報
【発明の概要】
【発明が解決しようとする課題】
【０００５】
上述したように、ホテルに採用した従来のカードロックシステムでは、ルームチェンジする際、ホテル従業員が新しいカードを発行し直して宿泊客に手渡すか、専用端末を手動操作して該当する部屋番号を変更する必要があった。また、部屋番号を戻す際にも同様の作業が必要であり、これらの作業がホテル従業員にとって負担となっていた。
【０００６】
そこで、本発明は上記問題点に鑑みてなされたものであり、ルームチェンジに要する作業負担を軽減することができるカードロックシステムを提供することを目的とするものである。
【課題を解決するための手段】
【０００７】
上記した目的を達成するために、請求項１に記載されたカードロックシステムは、錠前の施解錠に必要な情報が書き込まれた非接触カードを用い、建物の所定箇所に備えつけられたカード式電気錠が前記非接触カードの情報を非接触通信により読み取ってその正当性を判別し、読み取った情報を正常認証したときのみ前記錠前を施解錠するカードロックシステムにおいて、
利用時又は利用前に利用予定の部屋のルームチェンジの要望があるときに、利用予定の部屋のメインルーム番号と、ルームチェンジの有無及び変更用ルーム番号の情報からなるルームチェンジ情報とを含む施解錠情報を書き込んだゲストカードを前記非接触カードとして発行するカード発行部と、
予め建物の利用予約状況を示す予約情報を記憶しており、前記ゲストカードから施解錠情報を取得し、この施解錠情報に含まれるルームチェンジ情報及び前記予約情報に基づいて前記部屋を空室かつ利用可能と判別したときに、前記施解錠情報に含まれる前記ルームチェンジ情報の変更用ルーム番号をメインルーム番号に変更して前記錠前を解錠制御するカード式電気錠とを備えたことを特徴とする。
【０００８】
請求項２に記載されたカードロックシステムは、請求項１のカードロックシステムにおいて、
建物の利用予約状況を示す予約情報を確認用カードに書き込む予約情報リーダライタが建物内の所定箇所に配置されており、
前記カード式電気錠は、前記確認用カードに書き込まれた前記予約情報を取得して予約情報を更新記憶するとともに、前記確認用カードの使用により清掃が終了して錠前が施錠されたときにＯＮし、ルームチェンジにより変更用ルーム番号をメインルーム番号に変更して錠前が解錠されたときにＯＦＦする部屋利用フラグを記憶しており、前記ゲストカードからルームチェンジ情報を含む施解錠情報を取得したときに、前記更新記憶した予約情報及び前記部屋利用フラグに基づいて前記ルームチェンジ情報の変更用ルーム番号の部屋が利用可能か否かを判別することを特徴とする。
【発明の効果】
【０００９】
本発明によれば、利用者がフロントへ出向くことなくルームチェンジ可能となり、エンドユーザーの利便性の向上を図ることができる。しかも、従来のようなカードを発行し直す作業や専用端末による部屋番号変更の操作が必要無くなるので、従業員の作業負担を軽減することができる。
【００１０】
また、カード式電気錠側で部屋が空室か在室かの状態管理を行い、在室中の部屋のルームチェンジを不可としているので、ゲストカードの発行間違いをしても、入室不可とすることができる。
【００１１】
さらに、確認用カードの使用時に利用予約情報をカード式電気錠に反映しているので、意図しない状態でルームチェンジが可／不可とならないようにすることができる。
【００１２】
また、カード式電気錠側に部屋が利用可能か否かを示すフラグを待たせてチェックを行うので、清掃員による清掃前に誤ってルームチェンジされるのを防止することができる。
【図面の簡単な説明】
【００１３】
【図１】本発明に係るカードロックシステムの概略構成図である。
【図２】本発明に係るカードロックシステムにおける客室入室時の動作フローチャートである。
【発明を実施するための形態】
【００１４】
以下、本発明を実施するための形態について、添付した図面を参照しながら詳細に説明する。図１は本発明に係るカードロックシステムの概略構成図、図２は同カードロックシステムにおける客室入室時の動作フローチャートである。
【００１５】
本発明に係るカードロックシステムは、建物の所定箇所に配設された錠前の施解錠に必要な情報が書き込まれた例えばＩＣカードや非接触型ＩＣ搭載カードなどのカード状の非接触カードを用い、建物の扉や扉近傍の壁面等に一体に備えつけられたカード式電気錠（一体型カードロック）によって非接触カードの情報を読み取ってその正当性を判別し、読み取った情報を正常認証したときのみ錠前を施解錠するものである。
【００１６】
以下では、本発明に係るカードロックシステムをホテルカードロックシステムとして採用した場合を例にとって説明するが、ホテルに限らず、ルームチェンジが行われる商業施設のカードロックシステムとして採用することができる。
【００１７】
ホテルにおいてルームチェンジをする運用は、（１）宿泊時もしくは宿泊前に予めルームチェンジの要望があった場合と、（２）案内した部屋が気に入らず、ルームチェンジの要望があった場合との大きく２つのパターンが想定される。
【００１８】
そこで、本発明に係るカードロックシステムでは、上述した２つのパターンのうち、ルームチェンジの運用として圧倒的に多い（１）の場合に対応しており、利用者が所持するゲストカードにルームチェンジ情報（ルームチェンジフラグ、変更用ルーム番号）を付加することにより、ルームチェンジ作業の簡略化を図っている。
【００１９】
図１に示すように、カードロックシステム１は、ホテルの各客室の錠前の施解錠に必要な施解錠情報が書き込まれた非接触カード２を用い、ホスト端末３と、カード発行部４と、予約情報リーダライタ５と、カード式電気錠（一体型カードロック）６とを備えて構築される。
【００２０】
非接触カード２は、カード状の記憶媒体からなり、ゲストカード２Ａと確認用カード２Ｂとからなる。
【００２１】
ゲストカード２Ａは、チェックインを済ませた宿泊客（利用者）が所持するもので、フロントでのチェックイン時に、ホスト端末３で管理されるリアルタイムの宿泊予約情報（ルーム利用予約情報）に基づいてカード発行部４で発行される。このゲストカード２Ａには、宿泊予定（ルーム利用予定）のメインルーム番号、チェックイン日時、チェックアウト日時、ルームチェンジ情報がカード情報として記憶される。
【００２２】
尚、ルームチェンジ情報は、チェックイン時にルームチェンジの要望があるか否かを示すルームチェンジフラグと、ルームチェンジの要望がある場合の変更先客室のルーム番号を示す変更用ルーム番号とからなる。
【００２３】
確認用カード２Ｂは、例えばホテル内を清掃する清掃者が所持するもので、予めホスト端末３で管理されるリアルタイムの宿泊予約情報に基づいてカード発行部４で発行される。
【００２４】
確認用カード２Ｂには、そのカードで錠前の施解錠が可能な施解錠情報（カードを所持する清掃者が担当する客室の錠前を施解錠するために必要な施解錠情報）の他、ホスト端末３で管理されるリアルタイムの宿泊予約情報が予約情報リーダライタ５によって書き込まれる。
【００２５】
この確認用カード２Ｂに対する宿泊予約情報の書込みは、１日１回、例えば営業開始前に予約情報リーダライタ５に確認用カード２Ｂをかざすことによって行われる。また、確認用カード２Ｂに書き込まれた宿泊予約情報は、例えば客室の清掃作業時にカード式電気錠６に確認用カード２Ｂをかざすことでカード式電気錠６に読み取られる。これにより、カード式電気錠６内の宿泊予約情報を更新記憶することができる。
【００２６】
ホスト端末３は、例えばホテルの管理室に設置され、カード発行部４と予約情報リーダライタ６に対して通信可能にオンライン接続されており、各月日毎の宿泊予約情報をリアルタイムで管理している。
【００２７】
カード発行部４は、カード発行制御端末４Ａとカード発行機４Ｂで構成される。カード発行制御端末４Ａは、例えばホテルのフロントに設置され、ホスト端末３に対して通信可能にオンライン接続されるとともにカード発行機４Ｂが接続されており、非接触カード２であるゲストカード２Ａや確認用カード２Ｂを発行するために必要なキーデータ（ゲストカード２Ａを発行する場合はルームチェンジ情報を含む）をカード発行機４Ｂに出力している。
【００２８】
カード発行機４Ｂは、カード発行制御端末４Ａに接続され、例えばホテルのフロントに設置されており、カード発行制御端末４Ａからのキーデータをカード情報として非接触カード２（ゲストカード２Ａ、確認用カード２Ｂ）に書き込み、ゲストカード２Ａや確認用カード２Ｂを発行している。
【００２９】
尚、カード発行部４においてルームチェンジ後のゲストカード２Ａの追加発行（例えばシングルルームからツインルームへの部屋変更など）を行う場合は、ルームチェンジ後の部屋番号をメインのルーム番号としてゲストカード２Ａを発行している。これにより、ルームチェンジ後のゲストカード２Ａ（追加発行カード）を有効にすることができる。
【００３０】
予約情報リーダライタ５は、例えばホテルの各フロアに設置され、ホスト端末３に対して通信可能にオンライン接続されており、確認用カード２Ｂがかざされた時に、ホスト端末３で管理されるリアルタイムの宿泊予約情報を確認用カード２Ｂに書き込んでいる。
【００３１】
カード式電気錠６は、カード情報リーダライタ部６ａ、記憶部６ｂ、情報判別処理部６ｃ、電気錠制御部６ｄ、電気錠６ｅを備えて構成される。
【００３２】
カード情報リーダライタ部６ａは、非接触カード２としてのゲストカード２Ａや確認用カード２Ｂがかざされたときに、そのカードのカード情報を読み取り、この読み取ったカード情報を情報判別処理部６ｃに出力している。また、カード情報リーダライタ部６ａは、ゲストカード２Ａからルームチェンジ情報を読み取ったときに、そのルームチェンジ情報によるルームチェンジが可能と情報判別処理部６ｃが判別すると、そのゲストカード２Ａのルームチェンジ情報の変更用ルーム番号をメインルーム番号に書き換えている。
【００３３】
記憶部６ｂは、この記憶部６ｂを含むカード式電気錠６が設置された客室番号、客室の状態に関する情報（客室が空室か在室かを示す情報）を記憶している。また、記憶部６ｂは、確認用カード２Ｂを媒体としてカード情報リーダライタ部６ａが取得する宿泊予約情報を記憶している。
【００３４】
尚、記憶部６ｂは、情報判別処理部６ｃの処理により、この記憶部６ｂを含むカード式電気錠６が設置された客室で有効な宿泊予約情報のみを抽出して記憶しても良い。
【００３５】
さらに、記憶部６ｂは、客室内の清掃が済んで客室利用が可能か否かを示す客室使用フラグ（部屋利用フラグ）を記憶している。この客室使用フラグは、確認用カード２Ｂの使用により清掃が終了して錠前が施錠されたときにＯＮし、ルームチェンジにより変更用ルーム番号をメインルーム番号に変更して錠前が解錠されたときにＯＦＦする。従って、客室使用フラグがＯＮのときは客室の利用が可能であり、客室使用フラグがＯＦＦのときは次の宿泊客の入室が拒否される。
【００３６】
情報判別処理部６ｃは、後述する図２のフローチャートに基づく処理（客室状態判別処理、ルームチェンジ情報判別処理、ルーム番号変更処理、錠前施解錠処理）を実行している。さらに説明すると、情報判別処理部６ｃは、客室状態判別処理として、ゲストカード２Ａが使用されたときに、そのゲストカード２Ａが使用された客室が空室か否かを判別し、その判別した結果を記憶部６ｂに客室状態情報として記憶している。この客室が空室か否かの判別は、カード情報リーダライタ部６ａがゲストカード２Ａからカード情報を取得したときの現在時間が、チェックアウト日時を過ぎていれば空室と判別し、チェックアウト日時を過ぎていなければ在室と判別している。
【００３７】
また、情報判別処理部６ｃは、ルームチェンジ情報判別処理として、カード情報リーダライタ部６ａがゲストカード２ａからルームチェンジ情報を読み取り、そのルームチェンジ情報によるルームチェンジが可能か否かを判別している。このルームチェンジ情報によるルームチェンジが可能か否かの判別は、客室が空室と判別し、ゲストカード２Ａからルームチェンジ情報を取得し、確認用カード使用フラグがＯＮのときに、ルームチェンジが可能と判別している。そして、情報判別処理部６ｃは、ルーム番号変更処理として、ルームチェンジが可能と判別したときに、ルームチェンジ情報の変更用ルーム番号をメインルーム番号に書き換えるべくカード情報リーダライタ部６ａを制御している。
【００３８】
さらに、情報判別処理部６ｃは、錠前施解錠処理として、ゲストカード２Ａから取得したカード情報の正当性を判別し、正常認証したときのみ電気錠６ｅの解錠又は施錠を指示する指令信号（解錠指令信号又は施錠指令信号）を出力している。
【００３９】
電気錠制御部６ｄは、情報判別処理部６ｃから指令信号が入力されると、そのときの電気錠６ｅの施解錠状態及び扉の開閉状態に応じて電気錠６ｅの錠前を解錠又は施錠制御している。
【００４０】
さらに説明すると、電気錠制御部６ｄは、情報判別処理部６ｃから解錠指令信号が入力され、そのときの錠前及び扉の状態が施錠閉扉状態であれば、錠前を解錠制御するべく電気錠６ｅに駆動制御信号を出力している。これに対し、情報判別処理部６ｃから施錠指令信号が入力され、そのときの錠前及び扉の状態が解錠閉扉状態であれば、錠前を施錠制御するべく電気錠６ｅに駆動制御信号を出力している。
【００４１】
尚、電気錠制御部６ｄは、電気錠６ｅの錠前を解錠制御して扉が閉められたとき、所定時間経過後に錠前を自動施錠するようにしても良い。
【００４２】
電気錠６ｅは、例えばモータやソレノイド等の駆動装置と錠前で構成される。電気錠６ｅは、電気錠制御部６ｄからの駆動制御信号により、錠前を施錠又は解錠するべく通電駆動し、例えば扉枠の係止穴に対してデッドボルトを突出（施錠時）又は引き込む（解錠時）ことにより錠前が施解錠される。
【００４３】
次に、上述した構成からなるカードロックシステム１の動作として、宿泊時もしくは宿泊前に予めルームチェンジの要望があった場合の一連の処理手順について説明する。
【００４４】
尚、確認用カード２Ｂは、予め各清掃者毎に発行されて手渡される。そして、各清掃者は、清掃作業前に確認用カード２Ｂを各フロアの予約情報リーダライタ５にかざすと、ホスト端末３が予約情報リーダライタ５を介して確認カード２Ｂで有効な客室をチェックし、ホスト端末３から予約情報リーダライタ５を介して確認用カード２Ｂに当日の宿泊予約情報が書き込まれる。その後、各清掃者は、宿泊予約情報が書き込まれた確認用カード２Ｂをカード式電気錠６にかざすと、そのカード式電気錠６の記憶部６ｂに宿泊予約情報（在室、空室）が更新記憶される。また、各客室のカード式電気錠６は、清掃者により確認カード２Ｂが使用され、清掃作業が終了して錠前が施錠されると、客室使用フラグがＯＮする。
【００４５】
・フロントでのゲストカード２Ａの発行処理
カード発行機４Ｂに新規のカードを置き、カード発行制御端末４Ａを操作し、メインルーム番号、チェックイン日時、チェックアウト日時を含むキーデータに、ルームチェンジ情報（ルームチェンジフラグ、変更用ルーム番号）を付加してゲストカード２Ａを発行する。
【００４６】
尚、ルームチェンジ後のゲストカード２Ａの追加発行（例えばシングルルームからツインルームへの変更等）については、ルームチェンジ後の客室番号をメインルーム番号として発行する。
【００４７】
・ゲストカード２Ａを使用して客室への入室する場合の処理
客室のカード式電気錠６のカード情報リーダライタ部６ａにゲストカード２Ａをかざすと、カード情報リーダライタ部６ａがゲストカード２Ａからカード情報を読み取り、この読み取ったカード情報を情報判別処理部６ｃに出力する。情報判別処理部６ｃは、カード情報リーダライタ部６ａからカード情報が入力されると、このカード情報を読み取ったときの現在時間とカード情報のチェックアウト日時とを比較し、現在の客室状態が空室か否かを判別する（ＳＴ１）。
【００４８】
情報判別処理部６ｃは、現在時間がチェックアウト日時を過ぎず、現在の客室状態を空室でないと判別すると（ＳＴ１−Ｎｏ）、カード情報のメインルーム番号が客室番号と一致するか否かを判別する（ＳＴ２）。情報判別処理部６ｃは、カード情報のメインルーム番号が客室番号と一致すると判別すると（ＳＴ２−Ｙｅｓ）、客室のカード式電気錠６の錠前を解錠するべく電気錠制御部６ｄに解錠指令信号を出力する。そして、電気錠制御部６ｄは、情報判別処理部６ｃから解錠指令信号が入力されると、電気錠６ｅの錠前を解錠制御する（ＳＴ３）。これに対し、情報判別処理部６ｃは、カード情報のメインルーム番号が客室番号と一致しないと判別すると（ＳＴ２−Ｎｏ）、異常と判断して処理を終了する。
【００４９】
一方、情報判別処理部６ｃは、現在時間がチェックアウト日時を過ぎ、現在の客室状態を空室であると判別すると（ＳＴ１−Ｙｅｓ）、カード情報のメインルーム番号が客室番号と一致するか否かを判別する（ＳＴ４）。情報判別処理部６ｃは、カード情報のメインルーム番号が客室番号と一致すると判別すると（ＳＴ４−Ｙｅｓ）、客室のカード式電気錠６の錠前を解錠するべく電気錠制御部６ｄに解錠指令信号を出力する。そして、電気錠制御部６ｄは、情報判別処理部６ｃから解錠指令信号が入力されると、電気錠６ｅの錠前を解錠制御する（ＳＴ３）。これに対し、カード情報のメインルーム番号が客室番号と一致しないと判別すると（ＳＴ４−Ｎｏ）、ルームチェンジ情報のルームチェンジフラグがＯＮか否かを判別する（ＳＴ５）。
【００５０】
情報判別処理部６ｃは、ルームチェンジフラグがＯＮでないと判別すると（ＳＴ５−Ｎｏ）、異常と判断して処理を終了する。これに対し、情報判別処理部６ｃは、ルームチェンジフラグがＯＮであると判別すると（ＳＴ５−Ｙｅｓ）、客室使用フラグがＯＮか否かを判別する（ＳＴ６）。
【００５１】
情報判別処理部６ｃは、客室使用フラグがＯＮでないと判別すると（ＳＴ６−Ｎｏ）、異常と判断して処理を終了する。これに対し、情報判別処理部６ｃは、客室使用フラグがＯＮであると判別すると（ＳＴ６−Ｙｅｓ）、カード情報の変更用ルーム番号をメインルーム番号に書き換えて変更し（ＳＴ７）、客室のカード式電気錠６の錠前を解錠するべく電気錠制御部６ｄに解錠指令信号を出力する。そして、電気錠制御部６ｄは、情報判別処理部６ｃから解錠指令信号が入力されると、電気錠６ｅの錠前を解錠制御する（ＳＴ３）。
【００５２】
次に、具体例として、メインルーム番号「１０１」、ルームチェンジ情報（ルームチェンジフラグＯＮ、変更用ルーム番号「１０２」）が書き込まれたゲストカード２Ａを用い、客室番号「１０１」から客室番号「１０２」へルームチェンジする場合の動作を図２のフローチャートに沿って説明する。
【００５３】
ゲストカード２Ａを客室番号「１０２」のカード式電気錠６にかざすと、ゲストカード２Ａのカード情報がカード情報リーダライタ６ａに読み取られて情報判別処理部６ｃに出力される。情報判別処理部６ｃは、カード情報を読み取った現在時間がチェックアウト日時を過ぎていることで客室番号「１０２」が空室であると判別し（ＳＴ１）、ゲストカード２Ａから読み取ったカード情報のメインルーム番号が客室番号とが一致するか否かを判別する（ＳＴ４）。ここでは、カード情報のメインルーム番号が「１０１」、客室番号が「１０２」なので、メインルーム番号は客室番号と一致しないと判別する。
【００５４】
続いて、カード情報のルームチェンジフラグがＯＮか否かを判別する（ＳＴ５）。ここでは、カード情報のルームチェンジフラグがＯＮであると判別する。その後、清掃が終了して客室の使用が可能であることを確認するため、客室使用フラグがＯＮか否かを判別する（ＳＴ６）。ここでは、清掃者が確認用カード２Ｂを用いて既に清掃が済んで宿泊予約情報にある客室番号「１０２」の部屋の客室使用フラグがＯＮであると判別するので、情報判別処理部６ｃは、カード情報の変更用ルーム番号「１０２」をメインルーム番号に書き換えて変更する（ＳＴ７）。その後、情報判別処理部６ｃから電気錠制御部６ｄに解錠指令信号が出力され、電気錠制御部６ｄによって電気錠６ｅの錠前が解錠制御される（ＳＴ３）。
【００５５】
このように、本例のカードロックシステム１では、予めルームチェンジを要望された宿泊客（利用客）に対して、ゲストカード２Ａにルームチェンジ情報（ルームチェンジフラグ、変更用ルーム番号）を付加させ、ゲストカード２Ａの使用時に変更用ルーム番号をメインルーム番号に書き換えて電気錠６ｅを施解錠している。これにより、宿泊客（利用者）がフロントへ出向くことなくルームチェンジ可能となり、エンドユーザーの利便性の向上を図ることができる。
【００５６】
しかも、従来のようなカードを発行し直す作業や専用端末による部屋番号変更の操作が必要無くなるので、ホテル従業員の作業負担を軽減することができる。
【００５７】
また、本例のカードロックシステム１では、カード式電気錠６側で客室が空室か在室かの状態管理を行い、在室中の部屋のルームチェンジを不可としているので、ゲストカード２Ａの発行間違いをしても、入室不可とすることができる。
【００５８】
さらに、確認用カード２Ａの使用時に宿泊予約情報（利用予約情報）をカード式電気錠６に反映しているので、意図しない状態でルームチェンジが可／不可とならないようにすることができる。
【００５９】
また、カード式電気錠６側に客室が利用可能か否かを示す客室使用フラグを待たせてチェックを行うので、清掃員による清掃前に誤ってルームチェンジされるのを防止することができる。
【００６０】
ところで、上述した実施の形態では、予約情報リーダライタ５に確認用カード２Ｂをかざして予約情報リーダライタ５から確認用カード２Ｂに宿泊予約情報を記憶させ、この宿泊予約情報を記憶した確認用カード２Ｂをさらにカード式電気錠６にかざすことでカード式電気錠６の宿泊予約情報を更新記憶させるようにしているが、この構成に限定されるものではない。例えば、ホスト端末３と各客室のカード式電気錠６とをオンライン接続し、ホスト端末３からオンラインにより各カード式電気錠６の記憶部６ｂに宿泊予約情報を更新記憶させるようにしても良い。この構成によれば、ホスト端末３からの指示により、各客室のカード式電気錠６の宿泊予約情報を必要に応じてオンラインで更新記憶することができる。その際、ホスト端末３からの指示により、各客室のカード式電気錠６が必要とする宿泊予約情報のみを更新記憶しても良い。
【符号の説明】
【００６１】
１  カードロックシステム
２  非接触カード
２Ａ  ゲストカード
２Ｂ  確認用カード
３  ホスト端末
４  カード発行部
４Ａ  カード発行制御端末
４Ｂ  カード発行機
５  予約情報リーダライタ
６  カード式電気錠（一体型カードロック）
６ａ  カード情報リーダライタ部
６ｂ  記憶部
６ｃ  情報判別処理部
６ｄ  電気錠制御部
６ｅ  電気錠
【図１】
2010222945.tif 000003
【図２】
2010222945.tif 000004